(57)【要約】  【課題】  雌コネクタにおいて、高速信号伝送に適した接地接続ができ、部品点数も少ないものとする。  【解決手段】  雄コネクタを受容する略矩形の嵌合凹部１０４内にコンタクト１４０を保持する絶縁性のハウジング１０２と、ハウジング１０２外装される金属製のシールド用のシェル１０６とを備え、基板に取り付けられてシェル１０６が基板に接地接続される雌コネクタにおいて、シェル１０６が、少なくともハウジング１０２の前面を覆う面板１２０を有し、面板１２０には嵌合凹部１０４の上側および下側に雄コネクタと接触する複数のばね接触片１２６が配設されると共に面板１２０の下側には下側のばね接触片１２６と近接して基板に接地接続される複数の舌片１１０が突設されている。【選択図】          図１
2004319522.tif 000002
【特許請求の範囲】
【請求項１】
雄コネクタを受容する略矩形の嵌合凹部内にコンタクトを保持する絶縁性のハウジングと、該ハウジングに外装される金属製のシールド用のシェルとを備え、基板に取り付けられて前記シェルが前記基板に接地接続される雌コネクタにおいて、
前記シェルが、少なくとも前記ハウジングの前面を覆う面板を有し、該面板には前記嵌合凹部の上側および下側に前記雄コネクタと接触する複数のばね接触片が配設されると共に前記面板の下側には前記下側のばね接触片と近接して前記基板に接地接続される複数の舌片が突設されていることを特徴とする雌コネクタ。
【請求項２】
前記シェルの面板が前記ハウジングの上壁を覆う上壁から折り曲げられてなると共に、前記シェルの上壁からは前記ハウジングの各側壁を覆う側壁が折り曲げられてなり、該各側壁には前記上側のばね接触片を前記基板に接地接続する他の舌片が突設されていることを特徴とする請求項１記載の雌コネクタ。
【発明の詳細な説明】
【技術分野】
【０００１】
本発明は雌コネクタに関し、特に液晶モニタ及びパーソナルコンピュータ本体（又はマルチメディア中継ボックス）間の高速デジタル画像伝送、或いはコピー機及びサーバー間の高速デジタル画像伝送等に使用される高速信号伝送用の雌コネクタに関する。
【背景技術】
【０００２】
従来、１枚の金属板から折り曲げ形成され、ハウジングの前面に被冠されるシールドシェル部と、このシールドシェル部から後方に折り曲げられる折り曲げ部と、折り曲げ部からさらに下方に折り曲げられた基板取付用のリテンションレグ部とから構成されているシールドシェルを備えた雌コネクタが知られている（特許文献１）。この雌コネクタでは、シールドシェル部で相手コネクタのシールドと接触し、折り曲げ部、リテンションレグ部を介して基板に接地接続されることにより一体的なシールド（電磁遮蔽）が形成されるようになっている。
【０００３】
さらに、同様なシールドシェルを備えた雌コネクタとして、相手コネクタと接触する金属シェルと、この金属シェルに電気的に接触する別体の接地部材とを有し、この接地部材が基板にはんだ付けされることにより基板に接地接続されるよう構成された雌コネクタが知られている（特許文献２）。
【特許文献１】実開昭６３−１７２０７１号公報（第１図）
【特許文献２】特表平１０−５１１２１１号公報（図１、図２））
【発明の開示】
【発明が解決しようとする課題】
【０００４】
実開昭６３−１７２０７１号公報に開示された雌コネクタのシールドシェルは、１枚の金属板から打抜き折り曲げにより一体に形成されるものの、他方のコネクタとの接触部から基板に接地接続されるリテンションレグ部に至るまでの距離が長い。従って、接地経路のインダクタンスが大きくなりノイズが発生しやすい。
【０００５】
また、特表平１０−５１１２１１号に開示された雌コネクタのシールドシェルは、２つの部品から構成されるので部品点数が多く、また接地経路も長い。従ってこれも高速信号伝送用には適していない。
【０００６】
本発明は、以上の点に鑑みてなされたものであり、本発明の目的は、高速信号伝送に適した接地接続ができ、部品点数も少ない雌コネクタを提供することにある。
【課題を解決するための手段】
【０００７】
本発明の雌コネクタは、雄コネクタを受容する略矩形の嵌合凹部内にコンタクトを保持する絶縁性のハウジングと、ハウジングに外装される金属製のシールド用のシェルとを備え、基板に取り付けられてシェルを介して基板に接地接続される雌コネクタにおいて、シェルが、少なくともハウジングの前面を覆う面板を有し、面板には嵌合凹部の上側および下側に雄コネクタと接触する複数のばね接触片が配設されると共に面板の下側には下側のばね接触片と近接して基板に接地接続される複数の舌片が突設されていることを特徴とするものである。
【０００８】
さらに、本発明の雌コネクタは、シェルの面板がハウジングの上壁を覆う上壁から折り曲げられてなると共に、シェルの上壁からはハウジングの各側壁を覆う側壁が折り曲げられてなり、各側壁には上側のばね接触片を基板に接地接続する他の舌片が突設されるよう構成することができる。
【０００９】
ここで、「シールド用」とは電磁遮蔽を行うことを意味するが、完全な電磁遮蔽を行なうものの他、不完全な電磁遮蔽を行なう場合も含む。
【発明の効果】
【００１０】
本発明の雌コネクタは、シェルが、少なくともハウジングの前面を覆う面板を有し、面板には嵌合凹部の上側および下側に雄コネクタと接触する複数のばね接触片が配設されると共に面板の下側には下側のばね接触片と近接して基板に接地接続される複数の舌片が突設されているので、下側の接地経路を短くすることができ接地経路のインダクタンスを小さくすることができるので、耐ノイズ性が向上する。
【００１１】
シェルの面板がハウジングの上壁を覆う上壁から折り曲げられてなると共に、シェルの上壁からはハウジングの各側壁を覆う側壁が折り曲げられてなり、各側壁には上側のばね接触片を基板に接地接続する他の舌片が突設されるよう構成した場合は、上側、下側のばね接触片から最短の接地経路を構成するので接地経路が大きなループを形成せず、接地経路のインダクタンスを小さくできるので、耐ノイズ性が向上し高速信号伝送に適した雌コネクタが得られる。
【発明を実施するための最良の形態】
【００１２】
以下、本発明の雌コネクタについて、図１及び図２を参照して説明する。図１は、電気コネクタである雌コネクタ（以下、単にコネクタという）１００の斜視図であり、図２はその縦断面図である。以下、図１及び図２を参照して説明する。このコネクタ１００は、嵌合凹部１０４を有する絶縁性のハウジング１０２と、このハウジング１０２の外側に外装される遮蔽（シールド）用のシェル１０６を有する。シェル１０６は、１枚の金属板を打抜き折り曲げして形成され、ハウジング１０２の上壁１１２、側壁１１４を覆う本体１５６及び前面１１６を覆う面板１２０を有する。ハウジング１０２の前面１１６を覆う面板１２０は、構造上、シェルの側壁１０８と切り離され、間隙Gが形成されている。
【００１３】
面板１２０の内側には、前述の嵌合凹部１０４に対応して開口１２２が形成され、この開口１２２の上下の内縁１２４からは所定の間隔でばね接触片１２６が嵌合凹部１０４内に進入するように折り曲げ形成されている。これらのばね接触片１２６が相手方のコネクタと嵌合したとき、相手方のコネクタのシェルに接触して両コネクタが接地接続される。このコネクタ１００は図２に仮想線で示す取付基板１７０に固定されて使用されるが、取付基板１７０上の図示しない接地導体への接地接続は、シールド１０６の各側壁１０８から垂下する舌片１１０によりなされるのが一般的である。即ち舌片１１０が取付基板１７０の対応する開口１２８内に配置され、この開口１２８と連通する接地導体（図示せず）とがはんだ付けされ、電気的に接続されるのが一般的である。換言すると、従来は上側のシェル１０６を基準にしている。
【００１４】
しかし、面板１２０の上側のばね接触片１２６と、下側のばね接触片１２６とでは、接地のための舌片１１０に至る経路の長さが異なる。即ち上側のばね接触片１２６からは、シェル１０６の上壁１３０から側壁１０８を経て舌片１１０に至る電気経路をとる。しかし、下側のばね接触片１２６の場合は、面板１２０の周辺を迂回してから狭幅な部分を通って上壁１３０に至り、更に側壁１０８を経て舌片１１０に至る経路をとることとなる。この為、下側のばね接触片１２６からの経路長が長くなって、接地経路が大きなループを形成し、インダクタンスを大きくするので、ノイズを拾いやすくなり、差動伝送の機能を妨げて伝送品質の低下、耐ノイズ性の低下の虞がある。
【００１５】
この為、面板１２０の下側に、面板１２０専用の舌片１１０と同様な舌片１３２を間隔をあけて２個切り起こして形成される。これらの舌片１３２は取付基板１７０の開口１３４（図２）に挿入されて、最短経路で接地接続される。これによって伝送経路に大きな差が生じないようにしてある。
【００１６】
コネクタ１００の取付基板１７０への取付は、ハウジング１０２の側壁１１４から突設された２カ所の取り付けタブ１３６により行われる。即ち、取り付けタブ１３６の貫通孔１３６aに、図示しないねじが挿通されてねじ止めにより固定される。また、ねじ止めによらない場合は、シェル１０６に仮想線で示すリテンションレグ１５２（図２）を設け、これにより取付基板１７０に固定してもよい。
【００１７】
なお、シェル１０６の上壁１３０の前端部には嵌合部に沿って、上壁１３０から切り起こされた接片１３８が複数個形成されているが、これはコネクタ１００の嵌合部を図示しない取付パネルに押し込んで、コネクタ１００の前部で取付パネルに接地接続するときに使用されるものである。図２に示すようにシェル１０６の下側にも同じ目的で同様な接片１３８が形成されている。この接片１３８は、コネクタ１００を舌片１３２を使用して取付基板１７０上に接地接続する場合は、必ずしも必要ではない。
【００１８】
次に図２を参照してコネクタ１００のコンタクトについて説明する。コンタクト１４０は、タイン部１４１が同じ形状を有し、接触アーム１４２がタイン部１４１から上側に折り曲げられたものと、下側に折り曲げられたものとの２種類のコンタクト１４０a、１４０bから構成される。コンタクト１４０aの接触アーム１４２aと、コンタクト１４０bの接触アーム１４２bとは、対称形であり、互いに対向して内側に集束するように折り曲げられ、先端は他方のコンタクト、即ち前述の相手方のコネクタのパッドを案内して接触するように外側に湾曲している。
【００１９】
コンタクト１４０の取付は、ハウジング１０２の後壁１４４に交互に形成されたコンタクト挿通孔１４６に、後方から押し込まれることにより、ハウジング１０２に圧入係止される。コンタクト１４０の先端部は、ハウジング１０２の後壁１４４の内面１４４aから前方、即ち嵌合部１５０に向けて突設されたカバー壁１４８により覆われて保護される。対称形のコンタクト１４０a、１４０bを通過する電気信号は、同じ形状のタイン部１４１を通過するので電気信号の伝送速度に差（スキュー）が生じない。従って、伝送品質、耐ノイズ性が維持される。
【００２０】
次に図３乃至図５に第２の実施形態となる本発明の雌コネクタ（以下、単にコネクタという）を示す。図３はコネクタ３００の平面図、図４は図３のコネクタ３００の正面図、図５は図３のコネクタ３００の側面図を夫々示す。以下、図３乃至図５を参照して説明する。コネクタ３００のハウジング３０２は絶縁性の樹脂から成形され、略直方体形状を呈する。ハウジング３０２の前面３１６には、矩形の横長の開口３２２が形成され、この開口３２２からハウジング３０２の内方に嵌合凹部３０４が形成されている。図４に最もよく示すように嵌合凹部３０４の略中央には、横方向に延びる上下２枚のプレート３４８、３４９が近接して、嵌合凹部３０４の後壁３４４から紙面に対し垂直方向に突設されている。上側のプレート３４８は下側のプレート３４９より僅かに長くなっている。各プレート３４８、３４９にはその長手方向に沿って複数のコンタクト３４０が所定の間隔で、互いのプレートの方に向いて配設されている。上側のプレートの両端部には電源用のコンタクトが２個づつ配置されている。
【００２１】
ハウジング３０２の外側には、ハウジング３０２と同様の形状のシールド用の金属製のシェル３０６が外装されている。シェル３０６は前述の実施形態のシェル１０６と同様な形状なので、詳細な説明は省略するが主な相違点について以下に説明する。シェル３０６の上壁３３０には、その後端３６２近傍の左右両側に形成された開口３６５内に、前方に向け且つ内側のハウジング３０２の方に傾斜しているラッチアーム３６４が形成されている。このラッチアーム３６４は、ハウジング３０２がシェル３０６の後端３６２側からシェル３０６内に挿入されると、ハウジング３０２の上壁３１２の突起３６６と協働してハウジング３０２の後方への抜けが阻止される。
【００２２】
ハウジング３０２の後部両側には直方体のブロック３８２が一体に突設されている。ブロック３８２には、シェル３０６の後端３６２に突設された後方タブ３８４を受容するタブ溝３８２ａが形成されており、ハウジング３０２をシェル３０６に装着したとき、後方タブ３８４がタブ溝３８２ａ内に入り込んで、ハウジング３０２の前方への移動を規制する。
【００２３】
また、シェル３０６の上壁３３０には、コ字状のスロット３７６により形成された舌片３７８が、ラッチアーム３６４近傍に２個ずつ向かい合わせに配置されている。他方ハウジング３０２の上壁３１２には舌片３７８に対向する位置に、両側に溝を有する断面Ｔ型の突起３８０が形成されている。舌片３７８は、この突起３８０の溝に両側から差し込まれて係止される。これによって、シェル３０６の上壁３３０がハウジング３０２の上壁３１２から浮き上がるのが阻止される。
【００２４】
第２の実施形態のコネクタ３００は、前面３１６が図示しないパネルに接して取付けられる形式なので、先の実施形態の接片１３８（図１）に相当する構成がない。ばね接触片３２６は面板３２０から嵌合凹部３０４内に配列されており、下側については略等間隔に４個形成され、上側については両端部寄りに夫々２個づつ配置されている。上側の内側に位置する２個のばね接触片３２６の間には、シェル３０６の上壁３３０から、ハウジング３０２の前面３１６で湾曲して嵌合凹部３０４内に延びる内側延長部３６８が形成されている。内側延長部３６８の内面３６８ａには係止突起３７０が嵌合凹部３０４内に突設されている。この係止突起３７０は、図示しない雄コネクタと嵌合する際に互いに嵌合状態を維持するロック部となる。
【００２５】
面板３２０の下部からハウジング３０２の下面に折り曲げられた曲げ部３７２には、舌片３３２が切り起こされて形成されている。各舌片３３２は、下側のばね接触片３２６の近傍に対応して配置されている。これらの舌片３３２は、下側のばね接触片３２６から基板に至る接地経路を形成する。また、舌片３３２が、面板３２０に近接し且つ面板３２０と一体的に複数形成されているので、相手方のコネクタが挿入される際にこじりが生じても、その力を複数の舌片３３２が分散して受けることとなり、耐こじり性が向上する。
【００２６】
シェル３０６の上壁３３０からは、ハウジング３０２の側壁３１４を覆う側壁３０８が折曲により形成されている。このシェル３０６の側壁３０８の下端３０８ａには、前方寄りの部分に舌片３１０が、下方に突設されている。これらの舌片３１０は上側のばね接触片３２６から基板に至る接地経路を形成する。
【００２７】
以上本発明の実施の形態について詳細に説明したが、前述のコネクタ１００は、前面１１６に嵌合凹部１０４を有する、取付基板１７０に取付けられる絶縁性のハウジング１０２と、このハウジング１０２に保持されるコンタクト１４０と、ハウジング１０２の前面１１６を覆い相手方のコネクタと接地接続される面板１２０を有すると共に、上壁１１２及び側壁１１４を覆う本体１５６を有する金属製のシェル１０６とを備えたコネクタにおいて、本体１５６及び面板１２０に夫々接地接続用の舌片１１０、１３２を設けたことを特徴とする。
【００２８】
これにより、コネクタ１００は、面板１２０の上下の接地接続部分（ばね接触片）１２６から取付基板１７０に至る接地経路にばね接触片１２６の位置による差がなくなり、最短経路で取付基板に接地接続ができる。その結果、接地経路が大きなループを形成せず、接地経路のインダクタンスを小さくできるので、耐ノイズ性の向上が可能となる。
【図面の簡単な説明】
【００２９】
【図１】本発明の雌コネクタの斜視図
【図２】図１の雌コネクタの縦断面図
【図３】第２の実施形態となる本発明の雌コネクタの平面図
【図４】図３の雌コネクタの正面図
【図５】図３の雌コネクタの側面図
【符号の説明】
【００３０】
１００、３００    雌コネクタ
１０２、３０２    ハウジング
１０４、３０４    嵌合凹部
１０６、３０６    シェル
１０８、３０８    シェルの側壁
１１０、１３２、３１０、３３２    舌片
１１２、３１２    ハウジングの上壁
１１４、３１４    ハウジングの側壁
１１６、３１６    ハウジングの前面
１２０、３２０    面板
１２６、３２６    ばね接触片
１３０、３３０    シェルの上壁
１４０、３４０    コンタクト
１７０    基板
【図１】
2004319522.tif 000003
【図２】
2004319522.tif 000004
【図３】
2004319522.tif 000005
【図４】
2004319522.tif 000006
【図５】
2004319522.tif 000007